(57)【要約】１次同期符号（ＰＳＣ）と２次同期符号（ＳＳＣ）とのコンビネーションに対応する準ランダムなシーケンス（ＰＲＳ）を利用して、ダウンリンク基準信号のスクランブリングを容易にするシステムと方法論とが記述される。このコンビネーションを利用することによって、直交シーケンスが、スクランブルから取り除かれるようになる。これは、例えば、基準信号の直交化のために必要とされるリソースが、直交シーケンスを利用する利点に勝る場合に、有益になりうる。そのようなシナリオでは、選択的なスクランブリングが利用され、もって、与えられたシナリオにおいて、両メカニズムの利点を導入するために、直交シーケンスや、その代わりにＰＳＣ／ＳＳＣコンビネーションが提供されるようになる。
2010530667.tif 000002
【特許請求の範囲】
【請求項１】
無線通信ネットワークにおいてダウンリンク基準信号を解釈する方法であって、
スクランブルされたダウンリンク基準信号を受信することと、
受信した１次同期符号および２次同期符号に少なくとも部分的に基づいて準ランダムなシーケンスを決定することと、
前記ダウンリンク基準信号のサブフレームの一部を、前記サブフレームの一部のうちの１または複数のために決定されたサイクリック・プレフィクス長さと、前記準ランダムなシーケンスとにしたがってデスクランブルすることと
を備える方法。
【請求項２】
前記１次同期符号と前記２次同期符号とが、送信機からの別の信号で受信される請求項１に記載の方法。
【請求項３】
前記デスクランブルすることは、指定された閾値を超えるサイクリック・プレフィクス長さを持つサブフレームについて実行される請求項１に記載の方法。
【請求項４】
直交シーケンスおよび前記２次同期符号に対応する準ランダムなシーケンスに少なくとも部分的に基づいて、指定された閾値未満のサイクリック・プレフィクス長さを有するダウンリンク基準信号のサブフレームの一部をデスクランブルすることをさらに備える請求項１に記載の方法。
【請求項５】
最初のサブフレームを評価して、前記最初のサブフレームのサイクリック・プレフィクス長さと、残りのサブフレームのための可能なサイクリック・プレフィクス長さとを決定することをさらに備える請求項１に記載の方法。
【請求項６】
サブフレーム内の動的なブロードキャスト・チャネルが、残りのサブフレームのサイクリック・プレフィクス長さを与える請求項５に記載の方法。
【請求項７】
前記１次同期符号と前記２次同期符号とに少なくとも部分的に基づいて送信機を識別することをさらに備える請求項１に記載の方法。
【請求項８】
前記ダウンリンク基準信号から、前記１次同期符号および前記２次同期符号を抽出することをさらに備える請求項１に記載の方法。
【請求項９】
無線通信装置において、
ダウンリンク基準信号の１または複数のサブフレームのサイクリック・プレフィクス長さを決定し、前記サイクリック・プレフィクス長さに少なくとも部分的に基づいてデスクランブルすることを選択するように構成された少なくとも１つのプロセッサと、
前記少なくとも１つのプロセッサに接続されたメモリと
を備える無線通信装置
【請求項１０】
前記１または複数のサブフレームのサイクリック・プレフィクス長さは、指定された閾値を超え、前記デスクランブルすることは、前記ダウンリンク基準信号における１次同期符号と２次同期符号とのコンビネーションから決定される準ランダムなシーケンスを用いて実行される請求項９に記載の無線通信装置。
【請求項１１】
前記１次同期符号と前記２次同期符号とのコンビネーションが、前記ダウンリンク基準信号の送信機を識別する請求項１０に記載の無線通信装置。
【請求項１２】
前記１または複数のサブフレームのサイクリック・プレフィクス長さは、指定された閾値未満であり、前記デスクランブルすることは、決定された直交シーケンスと、前記ダウンリンク基準信号における２次同期符号から決定される準ランダムなシーケンスとを用いて実行される請求項９に記載の無線通信装置。
【請求項１３】
前記１または複数のサブフレームは、前記ダウンリンク基準信号の最初のサブフレームである請求項９に記載の無線通信装置。
【請求項１４】
前記最初のサブフレームのサイクリック・プレフィクスは、通常の長さからなり、前記少なくとも１つのプロセッサはさらに、前記ダウンリンク基準信号における動的なブロードキャスト・チャネルを評価することによって、残りのサブフレームのサイクリック・プレフィクス長さを決定するように構成された請求項１３に記載の無線通信装置。
【請求項１５】
前記最初のサブフレームのサイクリック・プレフィクスは、延長された長さからなり、前記少なくとも１つのプロセッサはさらに、延長されたサイクリック・プレフィクス長さを有する残りのサブフレームを決定するように構成された請求項１３に記載の無線通信装置。
【請求項１６】
ダウンリンク基準信号を受信し解釈する無線通信装置であって、
スクランブルされたダウンリンク基準信号を受信する手段と、
準ランダムなシーケンスを、前記ダウンリンク基準信号における少なくとも１次同期符号および２次同期符号に関連付ける手段と、
前記準ランダムなシーケンスにしたがって、前記ダウンリンク基準信号の一部をデスクランブルする手段と
を備える無線通信装置。
【請求項１７】
前記ダウンリンク基準信号の一部の１または複数のサブフレームのサイクリック・プレフィクス長さを決定する手段をさらに備える請求項１６に記載の無線通信装置。
【請求項１８】
前記デスクランブルすることは、指定された閾値を超えるサイクリック・プレフィクス長さを持つ少なくとも１つのサブフレームについて実行される請求項１７に記載の無線通信装置。
【請求項１９】
直交シーケンスおよび前記２次同期符号に対応する準ランダムなシーケンスに少なくとも部分的に基づいて、指定された閾値未満のサイクリック・プレフィクス長さを有する少なくとも１つのサブフレームをデスクランブルする手段をさらに備える請求項１７に記載の無線通信装置。
【請求項２０】
最初のサブフレームを評価して、前記最初のサブフレームのサイクリック・プレフィクス長さと、残りのサブフレームのための可能なサイクリック・プレフィクス長さとを決定する手段をさらに備える請求項１７に記載の無線通信装置。
【請求項２１】
サブフレーム内の動的なブロードキャスト・チャネルが、前記残りのサブフレームのサイクリック・プレフィクス長さを与える請求項２０に記載の無線通信装置。
【請求項２２】
前記１次同期符号と前記２次同期符号とに少なくとも部分的に基づいて送信機を識別する手段をさらに備える請求項１６に記載の無線通信装置。
【請求項２３】
前記ダウンリンク基準信号から、前記１次同期符号および前記２次同期符号を抽出する手段をさらに備える請求項１６に記載の無線通信装置。
【請求項２４】
少なくとも１つのコンピュータに対して、スクランブルされたダウンリンク基準信号を受信させるためのコードと、
前記少なくとも１つのコンピュータに対して、少なくとも１次同期符号および２次同期符号を用いて、準ランダムなシーケンスを決定させるためのコードと、
前記少なくとも１つのコンピュータに対して、前記ダウンリンク基準信号の一部を、前記サブフレームの一部のうちの１または複数のために決定されたサイクリック・プレフィクス長さと、前記準ランダムなシーケンスとにしたがってデスクランブルさせるためのコードと
を備えるコンピュータ読取可能媒体を備えるコンピュータ・プログラム製品。
【請求項２５】
前記コンピュータ読取可能媒体はさらに、
前記少なくとも１つのコンピュータに対して、前記ダウンリンク基準信号の一部のうちの１または複数のサブフレームのためのサイクリック・プレフィクス長さを決定させるためのコードを備える請求項２４に記載のコンピュータ・プログラム製品。
【請求項２６】
無線通信ネットワークにおいてダウンリンク基準信号を送信する方法であって、
１次同期符号および２次同期符号を備えるダウンリンク基準信号を生成することと、
前記１次同期符号と前記２次同期符号とのコンビネーションに対応する準ランダムなシーケンスに少なくとも部分的に基づいて、前記ダウンリンク基準信号をスクランブルすることと、
前記スクランブルされたダウンリンク基準信号を送信することと
を備える方法。
【請求項２７】
前記スクランブルすることは、指定された閾値を超えるサイクリック・プレフィクス長さを有する前記ダウンリンク基準信号のサブフレームの一部において実行される請求項２６に記載の方法。
【請求項２８】
前記２次同期符号に対応する準ランダムなシーケンスに少なくとも部分的に基づいて、前記閾値と等しいか、あるいは前記閾値未満であるサイクリック・プレフィクス長さを有するダウンリンク基準信号のサブフレームの一部をスクランブルすることと、
前記閾値と等しいか、あるいは前記閾値未満であるサイクリック・プレフィクス長さを有するダウンリンク基準信号のスクランブルされたサブフレームへ、直交シーケンスを適用することと
をさらに備える請求項２７に記載の方法。
【請求項２９】
前記準ランダムなシーケンスは、前記２次同期符号に対応し、前記１次同期符号は、前記準ランダムなシーケンスのための再使用ファクタである請求項２６に記載の方法。
【請求項３０】
前記１次同期符号と前記２次同期符号とのコンビネーションは、前記ダウンリンク基準信号の送信機を識別する請求項２６に記載の方法。
【請求項３１】
無線通信装置であって、
選択された１次同期符号と２次同期符号とのコンビネーションに関連する準ランダムなシーケンスを取得し、前記準ランダムなシーケンスを用いて、ダウンリンク基準信号をスクランブルするように構成された少なくとも１つのプロセッサと、
前記少なくとも１つのプロセッサに接続されたメモリと
を備える無線通信装置。
【請求項３２】
前記少なくとも１つのプロセッサはさらに、前記スクランブルされた準ランダムなシーケンスを送信するように構成された請求項３１に記載の無線通信装置。
【請求項３３】
前記少なくとも１つのプロセッサは、指定された閾値を超えるサイクリック・プレフィクス長さを有する前記ダウンリンク基準信号のサブフレームの一部をスクランブルする請求項３１に記載の無線通信装置。
【請求項３４】
前記少なくとも１つのプロセッサはさらに、前記２次同期符号に対応する別の準ランダムなシーケンスに少なくとも部分的に基づいて、前記閾値と等しいか、あるいは前記閾値未満であるサイクリック・プレフィクス長さを有するダウンリンク基準信号のサブフレームの別の一部をスクランブルし、前記サブフレームの別の一部へ、直交シーケンスを適用するように構成された請求項３３に記載の無線通信装置。
【請求項３５】
前記準ランダムなシーケンスは、前記２次同期符号に対応し、前記１次同期符号は、前記準ランダムなシーケンスのための再使用ファクタである請求項３１に記載の無線通信装置。
【請求項３６】
前記１次同期符号と前記２次同期符号とのコンビネーションが、前記無線通信装置を識別する請求項３１に記載の無線通信装置。
【請求項３７】
無線通信ネットワークにおいてダウンリンク基準信号をスクランブルするための無線通信装置であって、
１次同期符号および２次同期符号を備えるダウンリンク基準信号を生成する手段と、
前記１次同期符号と前記２次同期符号とのコンビネーションに対応する準ランダムなシーケンスに少なくとも部分的に基づいて前記ダウンリンク基準信号をスクランブルする手段と
を備える無線通信装置。
【請求項３８】
前記スクランブルされたダウンリンク基準信号を送信する手段をさらに備える請求項３７に記載の無線通信装置。
【請求項３９】
前記スクランブルは、指定された閾値を超えるサイクリック・プレフィクス長さを有する前記ダウンリンク基準信号のサブフレームにおいて実行される請求項３７に記載の無線通信装置。
【請求項４０】
前記２次同期符号に対応する準ランダムなシーケンスに少なくとも部分的に基づいて、前記閾値未満であるサイクリック・プレフィクス長さを有するダウンリンク基準信号のサブフレームの一部をスクランブルする手段と、
前記閾値未満であるサイクリック・プレフィクス長さを有するダウンリンク基準信号のスクランブルされたサブフレームへ、直交シーケンスを適用する手段と
をさらに備える請求項３９に記載の無線通信装置。
【請求項４１】
前記準ランダムなシーケンスは、前記２次同期符号に対応し、前記１次同期符号は、前記準ランダムなシーケンスのための再使用ファクタである請求項３７に記載の無線通信装置。
【請求項４２】
前記１次同期符号と前記２次同期符号とのコンビネーションが、前記ダウンリンク基準信号の送信機を識別する請求項３７に記載の無線通信装置。
【請求項４３】
コンピュータ・プログラム製品であって、
少なくとも１つのコンピュータに対して、１次同期符号および２次同期符号を備えるダウンリンク基準信号を生成させるためのコードと、
前記少なくとも１つのコンピュータに対して、前記１次同期符号と２次同期符号とのコンビネーションに対応する準ランダムなシーケンスに少なくとも部分的に基づいて前記ダウンリンク基準信号をスクランブルさせるためのコードと
を備えるコンピュータ読取可能媒体を備えるコンピュータ・プログラム製品。
【請求項４４】
前記コンピュータ読取可能媒体はさらに、
前記少なくとも１つのコンピュータに対して、前記スクランブルされたダウンリンク基準信号を送信させるためのコードを備える請求項４３に記載のコンピュータ・プログラム製品。
【請求項４５】
前記スクランブルは、指定された閾値を超えるサイクリック・プレフィクス長さを有する前記ダウンリンク基準信号のサブフレームの一部において実行される請求項４３に記載のコンピュータ・プログラム製品。
【発明の詳細な説明】
【関連出願に対する相互参照】
【０００１】
本願は、２００７年６月５日に出願され "A METHOD AND APPARATUS FOR PSEUDO-RANDOM SEQUENCE (PRS) MAPPING FOR LTE" と題された米国仮出願番号６０／９４２，２０１号、および２００７年６月１９日に出願され"METHOD AND APPARATUS FOR PSEUDO-RANDOM SEQUENCE (PRS) MAPPING FOR LTE" と題された米国仮出願番号６０／９４５，０７３号の利益を主張する。前述した出願の全体は、本明細書に参照によって組み込まれる。
【技術分野】
【０００２】
以下の説明は、一般に無線通信に関し、さらに詳しくは、物理レイヤ通信チャネルのための準ランダムなシーケンス・マッピングに関する。
【背景技術】
【０００３】
無線通信システムは、例えば音声、データ等のような様々なタイプの通信コンテンツを提供するために広く開発された。一般的な無線通信システムは、（例えば、帯域幅、送信電力等のような）利用可能なシステム・リソースを共有することによって、複数のユーザとの通信をサポートすることが可能な多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含んでいる。さらに、システムは、例えば第三世代パートナシップ計画（３ＧＰＰ）、３ＧＰＰロング・ターム・エボリューション（ＬＴＥ）、超モバイル・ブロードバンド（ＵＭＢ）等のような仕様に準拠しうる。
【０００４】
通常、無線多元接続通信システムは、複数のモバイル・デバイスのための通信を同時にサポートすることができる。モバイル・デバイスはおのおのの、順方向リンクおよび逆方向リンクでの送信によって、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、あるいは複数入力複数出力（ＭＩＭＯ）システム等によって確立されうる。さらに、モバイル・デバイスは、ピア・ツー・ピア無線ネットワーク・コンフィグレーションにおけるその他のモバイル・デバイスと（および／または、基地局が、その他の基地局と）通信することができる。
【０００５】
ＭＩＭＯシステムは一般に複数（ＮＴ個）の送信アンテナを使用し、複数（ＮＲ個）の受信アンテナを使用する。アンテナは、１つの例において、基地局とモバイル・デバイスとの両方に関連することができ、これによって、無線ネットワークにおけるデバイス間の双方向通信が可能となる。しばしば、複数のアンテナによる送信がスクランブルされ、多くのセルからの、アンテナを介した独立の通信が可能となる。これは、多くのセルにわたってランダムである準ランダムな信号と、同じ基地局内の異なるセクタからの基準信号を直交化するために利用される複素数の直交シーケンス（ＯＳ）とを用いることによって既に達成されている。しかしながら、（例えば、ある環境において遠く離れたエコーに対処するために）延長されたサイクリック・プレフィクス（ＣＰ）を有する通信において、通信チャネルがより頻繁に選択されることが予想されている。これによって、受信機における直交シーケンスの直交性が実質的に失われることになる。
【発明の概要】
【０００６】
以下は、このような実施形態の基本的な理解を提供するために、１または複数の実施形態の簡単な概要を提供する。この概要は、考えられる全ての実施形態の広範な概観ではなく、全ての実施形態の重要要素や決定的要素を特定することでも、任意または全ての実施形態の範囲を線引きすることでもないことが意図される。その唯一の目的は、１または複数の実施形態の幾つかの概念を、後に示されるより詳細な説明の前置きとして簡単な形式で示すことである。
【０００７】
１または複数の実施形態および対応する開示によれば、さまざまな態様が、少なくとも、サイクリック・プレフィクス（ＣＰ）に部分的に基づいて、ある通信サブフレームのためではなく、多くのセルのために、直交シーケンス（ＯＳ）を用いることなく無線通信用のスクランブリングを提供することを容易にすることに関連して記載される。一例において、このスクランブリングは、従来の１次同期符号（ＰＳＣ）とは異なり、再使用のために、変動する値を有しうる１次同期符号（ＰＳＣ）と、準ランダムな信号へ変換する２次同期符号（ＳＳＣ）コードとを備える同期符号ペアを用いて実施されうる。ＰＳＣ／ＳＳＣコンビネーションは、セルを識別し、セルからの通信をスクランブルするために使用されるシーケンスへの直接的な変換を行う。
【０００８】
関連する態様によれば、無線通信ネットワークにおけるダウンリンク基準信号を解釈する方法が提供される。この方法は、送信機からのスクランブルされたダウンリンク基準信号を受信することと、受信した１次同期符号および２次同期符号に少なくとも部分的に基づいて、準ランダムなシーケンスを決定することとを備える。この方法はまた、ダウンリンク基準信号のサブフレームの一部を、サブフレームの一部のうちの１または複数のために決定されたサイクリック・プレフィクス長さと、準ランダムなシーケンスとにしたがってデスクランブルすることをも含みうる。
【０００９】
別の態様は、無線通信装置に関する。この無線通信装置は、ダウンリンク基準信号のうちの１または複数のサブフレームのサイクリック・プレフィクス長さを決定し、このサイクリック・プレフィクス長さに少なくとも部分的に基づいて、デスクランブルすることを選択するように構成された少なくとも１つのプロセッサを含みうる。無線通信装置はさらに、少なくとも１つのプロセッサに接続されたメモリを含みうる。
【００１０】
また別の態様は、ダウンリンク基準信号を受信して解釈する無線通信装置に関する。この無線通信装置は、送信機からのスクランブルされたダウンリンク基準信号を受信する手段と、準ランダムなシーケンスを、ダウンリンク基準信号における少なくとも１次同期符号および２次同期符号に関連付ける手段とを備えうる。この無線通信装置はさらに、準ランダムなシーケンスにしたがって、ダウンリンク基準信号の一部をデスクランブルする手段を含みうる。
【００１１】
また別の態様は、少なくとも１つのコンピュータに対して、送信機からのスクランブルされたダウンリンク基準信号を受信させるためのコードを含むコンピュータ読取可能媒体を有するコンピュータ・プログラム製品に関する。コンピュータ読取可能媒体はまた、少なくとも１つのコンピュータに対して、少なくとも１次同期符号および２次同期符号を用いて、準ランダムなシーケンスを決定させるためのコードをも備えうる。さらに、コンピュータ読取可能媒体は、少なくとも１つのコンピュータに対して、ダウンリンク基準信号の一部を、サブフレームの一部のうちの１または複数のために決定されたサイクリック・プレフィクス長さと、準ランダムなシーケンスとにしたがってデスクランブルさせるためのコードを備えうる。
【００１２】
更なる態様にしたがって、無線通信ネットワークにおいてダウンリンク基準信号を送信するための方法が提供される。この方法は、１次同期符号および２次同期符号を備えるダウンリンク基準信号を生成することを含む。この方法はさらに、１次同期符号と２次同期符号とのコンビネーションに対応する準ランダムなシーケンスに少なくとも部分的に基づいて、ダウンリンク基準信号をスクランブルすることと、このスクランブルされたダウンリンク基準信号を送信することとを含む。
【００１３】
別の態様は、無線通信装置に関する。この無線通信装置は、選択された１次同期符号と２次同期符号とのコンビネーションに関連する準ランダムなシーケンスを取得し、この準ランダムなシーケンスを用いて、ダウンリンク基準信号をスクランブルするように構成された少なくとも１つのプロセッサを含みうる。この無線通信装置はさらに、少なくとも１つのプロセッサに接続されたメモリをも含みうる。
【００１４】
また、別の態様は、無線通信ネットワークにおいてダウンリンク基準信号をスクランブルするための無線通信装置に関する。この無線通信装置は、１次同期符号および２次同期符号を備えるダウンリンク基準信号を生成する手段を備えうる。この無線通信装置はさらに、１次同期符号と２次同期符号とのコンビネーションに対応する準ランダムなシーケンスに少なくも部分的に基づいて、ダウンリンク基準信号をスクランブルする手段を含みうる。
【００１５】
さらに別の態様は、少なくとも１つのコンピュータに対して、１次同期符号および２次同期符号を備えるダウンリンク基準信号を生成させるためのコードを含むコンピュータ読取可能媒体を有しうるコンピュータ・プログラム製品に関する。さらに、このコンピュータ読取可能媒体は、少なくとも１つのコンピュータに対して、１次同期符号と２次同期符号とのコンビネーションに対応する準ランダムなシーケンスに少なくとも部分的に基づいて、ダウンリンク基準信号をスクランブルさせるためのコードを備えうる。
【００１６】
前述した目的および関連する目的を達成するために、１または複数の実施形態は、後に十分に記載され特に請求項において指摘される特徴を備えている。以下の記載および添付図面は、１または複数の実施形態のある例示的な態様を詳細に述べている。しかしながら、これらの態様は、様々な実施形態の原理が適用され、記載された実施形態がそのような全ての態様およびそれらの等価物を含むことが意図されている様々な方法のうちのほんの僅かを示すに過ぎない。
【図面の簡単な説明】
【００１７】
【図１】図１は、本明細書に記載されたさまざまな態様にしたがった無線通信システムの実例である。
【図２】図２は、無線通信環境内で適用される通信装置の一例を例示する。
【図３】図３は、スクランブルされたダウンリンク基準信号の通信を有効にする無線通信システムの一例を例示する。
【図４】図４は、スクランブルされたダウンリンク基準信号を送信することを容易にする方法論の一例を例示する。
【図５】図５は、スクランブルされたダウンリンク基準信号の解釈を容易にする方法論の一例を例示する。
【図６】図６は、サイクリック・プレフィクスに基づいて基準信号を解釈することを容易にする方法論の一例を例示する。
【図７】図７は、スクランブルされた基準信号を解釈することを容易にするモバイル・デバイスの一例を例示する。
【図８】図８は、ダウンリンク基準信号を通信することを容易にするシステムの一例を例示する。
【図９】図９は、本明細書に記載されたさまざまなシステムおよび方法と連携して適用される無線ネットワーク環境の一例を例示する。
【図１０】図１０は、スクランブルされた基準信号をデスクランブルするシステムの一例を例示する。
【図１１】図１１は、ダウンリンク基準信号をスクランブルするシステムの一例を例示する。
【発明を実施するための形態】
【００１８】
さまざまな実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２０】
さらに、本明細書ではさまざまな実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、発展型ノードＢ（ｅノードＢまたはｅＮＢ）、ベース・トランシーバ局（ＢＴＳ）、またはその他幾つかの専門用語でも称されうる。
【００２１】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述されたさまざまな記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他さまざまな媒体を含みうる。
【００２２】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えば発展型ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００２３】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのおのおののグループは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。さらに、モバイル・デバイス１１６、１２２は、図示するように、ピア・ツー・ピアまたはアド・ホック技術を用いて互いに直接的に通信することができる。
【００２６】
一例によれば、システム１００は、複数入力複数の出力（ＭＩＭＯ）通信システムになりえる。さらに、システム１００は、例えばＦＤＤ、ＴＤＤ等のような通信チャンネル（例えば、順方向リンク、逆方向リンク等）を分割するために、任意のタイプの二重化技術を実質的に利用することができる。さらに、１または複数の通信チャネルを形成する多くの周波数サブキャリアを介して、複数の信号を変調するために、（例えば、ＯＦＤＭのような）１または複数の多重化スキームが利用されうる。一例において、例えば基地局１０２および／またはモバイル・デバイス１１６、１２２のようなチャネルの送信機は、他のデバイスとの通信の同期化またはチャネルの推定を助けるために、パイロットまたは基準信号をも送信することができる。例えば、基地局１０２のセクタから送信されるダウンリンク基準信号（ＲＳ）は、１または複数の同期符号の関数になりえる。一例において、ＲＳは、（例えば１０個のサブフレームのような）サブフレーム数に等しい持続時間を有し、これら同期符号は、（一例において、サブフレーム０、５のような）サブフレームの１または複数内に存在しうる。
【００２７】
一例によれば、使用される同期符号は、ＲＳをスクランブルするために利用される準ランダムなシーケンス（ＰＲＳ）をユニークに決定することができる。一例において、ＲＳは、ＰＲＳを用いたＸＯＲ演算を実行することによってスクランブルされる。前述したように、以前のシステムは、セル・アイデンティティにユニークに結び付けられたセル特有のスクランブリングを与えるために、ＰＲＳとともに直交シーケンスを利用していた。しかしながら、延長されたサイクリック・プレフィクス（ＣＰ）を有する送信は、より大きなチャネル選択性をもたらすようになることが予想される。これは、（例えばモバイル・デバイス１１６および／またはモバイル・デバイス１２２のような）受信機において、直交シーケンスの直交性を取り除き始める。本明細書に記載された主題は、多くのＰＲＳにしたがってＲＳをスクランブルするために、従来のスロット境界検出のためのみならず、ＰＲＳのための動的な再使用ファクタとして、１次同期符号（ＰＳＣ）とともにＰＲＳにマップする２次同期符号（ＳＳＣ）を用いる。ＰＳＣ／ＳＳＣコンビネーションはまた、（例えば、基地局１０２、モバイル・デバイス１１６、１２２、または、それらに関連する送信セル内の特定のセルのような）ＲＳの送信機を識別する役目を果たすことができる。したがって、ＰＲＳおよび直交シーケンスを適用するのではなく、単にＰＳＣ／ＳＳＣコンビネーションに基づくＰＲＳが適用される。ＰＳＣの数は、以前の直交シーケンスの数と実質的に同じであるので、記述された主題は、直交シーケンスを用いて利用可能な組み合わせと実質的に同じ数を与える。しかしながら、直交信号が実質的に利益を与える通常のＣＰ（あるいは、所与の閾値未満のＣＰ）を有するサブフレームでは、そのような信号は、セル・アイデンティティにユニークに結び付けられたセル特有のスクランブルを提供するために、未だに、オプションとして、ＰＲＳとともに使用されうることが認識されるべきである。
【００２８】
図２に移って、無線通信環境内で適用される通信装置２００が例示される。この通信装置２００は、基地局セクタまたはその一部、モバイル・デバイスまたはその一部、あるいは、無線通信環境において送信されたデータを受信する実質的に任意の通信装置でありうる。この通信装置２００は、１または複数の個別の通信装置へブロードキャストするためのＲＳを生成する基準信号定義部２０２と、１または複数の同期符号にしたがってＲＳをスクランブルするスクランブラ２０４と、スクランブルされたＲＳを送信する送信機２０６とを含みうる。
【００２９】
一例によれば、通信装置２００は、通信装置２００からの送信に関する情報を決定するために受信機によって利用されうるダウンリンクＲＳを送信することができる。一例において、基準信号定義部２０２は、通信装置２００等を識別または通信装置２００等と同期させるために使用されうるＲＳを生成することができる。同期符号は、ＲＳ送信のために使用されるセル特有のスクランブリングに関連するＰＳＣおよびＳＳＣを備えうる。ＳＳＣは、対応するＰＲＳをユニークに決定し、ＰＳＣは、ＰＲＳのための再使用ファクタを決定することができる。したがって、利用可能なＰＲＳの数は、利用可能なＰＳＣと利用可能なＳＳＣとの積に、実質的に等しい。
【００３０】
通信装置２００によって利用されるＰＳＣおよびＳＳＣは、ＲＳをスクランブルするスクランブラ２０４によって使用されるＰＲＳに関連しうる。これはまた、周囲の送信装置に関して通信装置２００を識別する役割を果たす。３ＧＰＰ  ＬＴＥの例では、ＲＳをスクランブルするためにスクランブラ２０４が利用することができる１７０のＰＲＳに、１７０のＳＳＣが対応しうる。さらに、ＲＳをスクランブルし、ＲＳを受信している通信装置に関して、通信装置２００またはそのセルをユニークに識別するために利用される５１０のＰＲＳを表す再使用ファクタを、３つのＰＳＣが与える。スクランブルされたＲＳは、送信機２０６を利用することにより、１または複数のそのような装置へと送信されうる。上記例は、ＲＳをスクランブリングする際に直交シーケンスの利用を緩和しうることが認識されるべきである。ここでは、（例えば、遠くのエコー等の影響を受ける）延長された、すなわち、より長いＣＰサブフレームが利用される。
【００３１】
しかしながら、通常のＣＰ長さを利用する場合に予想されるように、直交性が保持される場合、ＲＳを直交させることは有益でありうる。したがって、（例えば、指定された閾値を超える長さを有するＣＰのように）延長されたＣＰが利用される場合、上記したＰＳＣ／ＳＳＣコンビネーションは、ＲＳから、スクランブラ２０４によって利用されるＰＲＳを決定することができる。オプションとして、ＣＰがこの閾値を超えないか、あるいは通常の長さである場合、利用されるＰＲＳは、ＳＳＣのみに関連し、従来の直交シーケンスにしたがって信号が直交化されうる。３ＧＰＰ  ＬＴＥの例において、ＲＳをスクランブルするためにスクランブラ２０４が利用する１７０のＰＲＳに、１７０のＳＳＣが対応しうる。さらに、ＲＳをスクランブルし、通信装置２００またはそのセルをユニークに識別するために利用される直交シーケンスおよびＰＲＳの５１０のコンビネーションを与えるＲＳを直交化するために、３つの直交シーケンスが利用可能となる。
【００３２】
図３に示すように、セル識別符号を用いてスクランブルされたダウンリンクＲＳを送信する無線通信システム３００が例示される。このシステム３００は、モバイル・デバイス３０４（および／または、任意の数の個別のモバイル・デバイス（図示せず））と通信する基地局セクタ３０２を含む。基地局セクタ３０２は、順方向リンクすなわちダウンリンク・チャネルを介して情報をモバイル・デバイス３０４へ送信することができる。さらに、基地局セクタ３０２は、逆方向リンクすなわちアップリンク・チャネルを介してモバイル・デバイス３０４から情報を受信することができる。さらに、システム３００は、ＭＩＭＯシステムになりえる。さらに、基地局セクタ３０２内の図示および以下に説明される構成要素および機能は、一例において、モバイル・デバイス３０４内に存在することも、その他に存在することもでき、図示した構成は、説明を簡単にするために、これら構成要素を除外している。
【００３３】
基地局セクタ３０２は、モバイル・デバイス３０４へ送信するためのＲＳを生成する基準信号定義部３０６と、ソース識別ＰＲＳを利用することによってＲＳをスクランブルするスクランブラ３０８と、スクランブルされたＲＳを送信する送信機３１０とを含む。ここで、ＲＳは、基地局セクタ３０２から送信された信号を解釈するための情報を備えうる。説明されるように、ＰＲＳは、ＲＳに格納されたＳＳＣおよび／またはＰＳＣ／ＳＳＣペアに対応する。例えば、ＰＲＳは、ＳＳＣに対応する。ここでは、通常のＣＰサブフレームが、直交シーケンスとともに利用され、ＲＳが直交化される。ＰＲＳは、ＰＳＣ／ＳＳＣペアに対応する。ここでは、延長されたＣＰサブフレームが、既に記述したように利用される。
【００３４】
モバイル・デバイス３０４は、送信された信号を受信する受信機３１２と、信号がＲＳであることを判定する基準信号検出器３１４と、受信した情報にしたがってＲＳをデスクランブルするデスクランブラ３１６とを含む。一例において、受信機３１２は、１または複数の基準信号を受信し、基準信号検出器３１４は、この信号がＲＳであることを判定し、ＲＳの１または複数のサブフレームから、同期情報を抽出することができる。デスクランブラ３１６は、抽出された情報にしたがって、基準信号をデスクランブルし、追加情報を取得することができる。
【００３５】
一例において、基準信号定義部３０６は、既に説明したようにしてＲＳを生成し、スクランブラ３０８は、ＰＳＣ／ＳＳＣコンビネーションに対応するＰＲＳを用いて、既に説明したようにしてＲＳをスクランブルする。ＲＳはさらに、ＰＳＣとＳＳＣとを格納しうる。続いて、送信機３１０は、その間の通信のために、基地局セクタ３０２の同期／アイデンティティ情報を提供するために、例えばモバイル・デバイス３０４のような１または複数のモバイル・デバイスへＲＳを送信することができる。ＲＳは、モバイル・デバイス３０４の受信機３１２によって受信され、基準信号検出器３１４によってＲＳとして検出されうる。基準信号検出器３１４は、（例えば、ＲＳのサブフレーム０に基づいて）ＰＳＣおよび／またはＳＳＣを決定することによって、少なくとも部分的に信号を検出することができる。ＰＳＣ／ＳＳＣコンビネーションを決定すると、基準信号検出器３１４は、ＲＳをスクランブルするために利用されるＰＲＳを区別することができ、デスクランブラ３１６は、ＰＲＳにしたがってＲＳをデスクランブルする。
【００３６】
説明したように、延長されたＣＰを用いた演算では、スクランブリングにおける従来の直交シーケンス・ステップは、不利になる。したがって、ＰＲＳ／直交シーケンス・コンビネーションと実質的に同じ数を提供するように利用可能なＰＲＳの数を拡張しながら、ＰＲＳのみを利用することによって、更なる直交ステップ無く基地局セクタ３０２を識別するための類似の機能が可能となる。しかしながら、前述したように、直交シーケンスを利用することは、通常のＣＰを用いた演算において利点を与える。したがって、一例において、直交シーケンスは、そのような場合、延長されたＣＰサブフレームにおいてＰＳＣ／ＳＳＣコンビネーションを用いている間に利用されうる。
【００３７】
この例では、モバイル・デバイス３０４は、受信機３１２によってＲＳを受信し、基準信号検出器３１４は、ＲＳのサブフレーム０が、延長されたＣＰサブフレームで送信されたか、あるいは、通常のＣＰサブフレームで送信されたかを判定することができる。延長されたＣＰがサブフレーム０で検出された場合、基準信号検出器３１４は、所与のサブフレームのためのＲＳをスクランブルする際に、直交シーケンスが使用されなかったと判定する。したがって、ＰＳＣ／ＳＳＣコンビネーションからのユニークなマッピングからＰＲＳが構築され、ＲＳをスクランブルするためにＰＲＳのみが使用される。一方、サブフレーム０において通常のＣＰが検出された場合、基準信号検出器３１４は、所与のサブフレームについてのＲＳをスクランブルする際に、直交シーケンスが使用されていると判定することができる。したがって、ＰＲＳは、ＳＳＣへのマッピングのみから構築され、直交シーケンスとともにＲＳをスクランブルするために利用される。デスクランブラ３１６は、ＲＳをデスクランブルする際にこの情報を利用することができる。
【００３８】
さらに、この例では、基準信号検出器３１４が、サブフレーム０において、延長されたＣＰを検出した場合、残りのサブフレームについて、延長されたＣＰが仮定される。したがって、抽出されたＰＳＣ／ＳＳＣコンビネーションが、デスクランブラ３１６によって利用され、残りのサブフレームがデスクランブルされる。しかしながら、基準信号検出器３１４が、サブフレーム０において通常のＣＰを検出すると、一般にサブフレーム０で発見される物理ブロードキャスト・チャネル（ＰＢＣＨ）、または動的ブロードキャスト・チャネル（ＤＢＣＨ）は、どのサブフレームが延長されたＣＰを用い、どのサブフレームが通常のＣＰを用いるのかを指定することができる。残りのサブフレームが通常のＣＰを使用する場合には、ＳＳＣが、対応するサブフレームをスクランブルするために使用されるＰＲＳと関係し、基準信号検出器３１４が、これらサブフレームにおいて、直交シーケンスの利用を推定する。残りのサブフレームが、延長されたＣＰを使用する場合、ＰＳＣ／ＳＳＣコンビネーションが、対応するサブフレームをスクランブルするために使用されるＰＲＳと関係し、直交シーケンスは使用されない。サブフレーム０が、延長されたＣＰを使用する場合、動的なＢＣＨがさらに、通常のＣＰおよび延長されたＣＰを有するサブフレームを指定することができ、これによって、上述した区分が、残りのサブフレームに関して利用されうることが認識されるべきである。さらに、１つの例において、ＰＳＣ／ＳＳＣコンビネーションが、ＣＰ長さに関わらず、全てのサブフレーム内で利用されうることが認識されるべきである。
【００３９】
図４乃至図６に示すように、１次同期符号および２次同期符号にしたがってダウンリンク基準信号をスクランブリングすることに関連する方法論が例示される。説明を簡単にする目的で、これら方法論が、一連の動作として示され、説明されているが、幾つかの動作は、１または複数の実施形態にしたがって、本明細書に図示および説明されたものとは異なる順序で、および／または、他の動作と同時に引き起こりうるので、これら方法論は、このような動作順によって限定されないことが理解および認識されるべきである。例えば、当業者であれば、これら方法論は、その代わりに、例えば状態図のような相互関連する一連の状態またはイベントとして示されうることを理解および認識するだろう。さらに、１または複数の実施形態にしたがって方法論を実現するために、必ずしも全ての動作が必要とされる訳ではない。
【００４０】
図４に移って、スクランブルされたダウンリンクＲＳを生成し送信することを容易にする方法論４００が示される。４０２では、ＲＳの送信機に関連する情報を備えるダウンリンクＲＳが生成される。例えば、この情報は、同期符号、１次ブロードキャスト・チャネル内のデータ等を含みうる。４０４では、ＲＳの送信機によって使用される１次同期符号および２次同期符号に対応するユニークなＰＲＳが決定されうる。この符号コンビネーションは、ＰＲＳへ直接的にマップすることができる。したがって、近接している別の送信機は、異なるＰＲＳを用いてＲＳを送信することができる。これは、ＲＳの区別を助ける。また、この点において、ＰＲＳは、ＲＳの受信機が、送信機を識別することを可能にする。
【００４１】
４０６では、ダウンリンク基準信号がＰＲＳを用いてスクランブルされる。一例において、これは、ＲＳとＰＲＳとの間のＸＯＲ演算によって実行されうる。４０８では、スクランブルされたダウンリンクＲＳが送信される。したがって、ＲＳスクランブリングは、多くの可能なスクランブリングを保持しながら、直交シーケンスを用いることなく実行される。ここでは、利用可能なＰＳＣの数が、既に利用可能な直交シーケンスに一致する。これは、説明したような、延長されたＣＰを有するサブフレームにおいて利点がある。ここでは、チャネルの高い頻度の選択が予想されることにより、直交シーケンスの利点が失われうる。
【００４２】
図５に移って、同期符号に少なくとも部分的に基づいて基準信号をデスクランブルすることを容易にする方法論５００が示される。５０２では、一例において、通信が望まれる送信機からのダウンリンクＲＳが受信される５０４では、１次同期符号および２次同期符号が、ＲＳに関連していると判定される。これら符号は、例えばサブフレーム０、５のような指定されたサブフレーム内の指定された時間／周波数位置から抽出されうる。５０６では、１次同期符号および２次同期符号に少なくとも部分的に基づいてＰＲＳが決定される。これは、既に説明したＣＰ持続時間に部分的に基づきうる。例えば、これら符号は、送信前にＲＳをスクランブルするために使用されるＰＲＳに関連することができ、５０８では、ＰＲＳが、ＲＳをデスクランブルするために使用される。一例において、２次同期符号は、直接的にＰＲＳに関連する一方、１次同期符号は、ＰＲＳのための再使用ファクタである。または、その逆も可能である。
【００４３】
図６に移って、ＲＳの１または複数のフレームまたはサブフレームに関連付けられたサイクリック・プレフィクスのサイズに少なくとも部分的に基づいてダウンリンクＲＳをデスクランブルすることを容易にする方法論６００が例示される。６０２では、１または複数のサブフレームを備えるダウンリンクＲＳが受信される。この方法は、現在のサブフレームであるサブフレーム０で始まる。６０４では、現在のサブフレームのＣＰ長さが評価される。ＣＰが延長されている（例えば、指定された閾値よりも長い長さを有する）場合、ＲＳをデスクランブリングするＰＲＳを決定するために、既に抽出されたＰＳＣ／ＳＳＣコンビネーションが利用されうる。６０６では、本明細書に記載の実質的に任意の方法を用いて、ＰＳＣ／ＳＳＣコンビネーションが抽出されうることが認識されるべきである。６０８では、ＲＳ内に次のサブフレームが存在するかが判定されうる。もしも存在すれば、６１０において、残りのサブフレームもまた、延長されたプレフィクスからなると仮定される。なぜなら、サブフレーム０は、延長されたＣＰからなり、次のサブフレームが、現在のサブフレームになり、次のサブフレームがなくなるまでステップ６０６において同様に評価されるからである。これ以上サブフレームが存在しない場合、方法は、６１２に進み、ＲＳが解釈される。
【００４４】
６０４において、サブフレーム０が、延長されたＣＰからなるのではないと判定されると、ステップ６１４において、直接的に相関付けられたＰＲＳを決定するために、既に抽出されたＳＳＣが利用され、同様にして直交シーケンスを用いてサブフレームがデスクランブルされる。この点において、延長されていない、すなわち、通常のＣＰの場合、送信機内のスクランブラによって、直交シーケンスが利用される。しかしながら、この場合、残りのサブフレームは、延長されていないＣＰからなるものと仮定されない。したがって、６０８において次のサブフレームが残っている場合、６１０において、サブフレーム０は、延長されたＣＰを持たないので、方法は、６０４に戻り、次のサブフレームのＣＰが評価される。しかしながら、サブフレームが残っていない場合、６１２において、ＲＳが解釈される。したがって、この方法は、本明細書に記載したように、直交シーケンスの利点が、予想されたチャネルの頻繁な選択によって妨げられる延長されたＣＰサブフレームから、直交シーケンスを取り除きながら、通常のＣＰサブフレームにおける直交シーケンスを利用して、その利点を保つことが可能となる。
【００４５】
本明細書に記載された１または複数の態様によれば、説明されたような所与の送信機のためのＰＳＣおよび／またはＳＳＣを決定することに関して推論がなされうることが認識されるだろう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４６】
一例によれば、上記された１または複数の方法は、ＰＳＣ／ＳＳＣコンビネーション、それに関連するＰＲＳ、ＰＳＣ／ＳＳＣコンビネーションに基づく送信機のアイデンティティ、通常のＣＰサブフレームで利用される直交シーケンス、１または複数のサブフレームのためのサイクリック・プレフィクス長さ等を決定することに関する推論を行うことを含みうる。
【００４７】
図７は、受信したダウンリンクＲＳをデスクランブルすることを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を行い、調整された信号をデジタル化してサンプルを取得する受信機７０２を備える。受信機７０２は、受信したシンボルを復調し、それらを、チャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサであるか、モバイル・デバイス７００のうちの１または複数の構成要素を制御するプロセッサであるか、および／または、受信機７０２によって受信された情報の分析と、送信機７１６による送信のための情報の生成と、アクセス端末７００のうちの１または複数の構成要素の制御との両方を行うプロセッサでありうる。
【００４８】
モバイル・デバイス７００はさらに、プロセッサ７０６と動作可能に接続されたメモリ７０８を備えうる。このメモリ７０８は、送信されるデータ、受信したデータ、利用可能なチャネルに関連する情報、分析された信号、および／または、干渉強度に関連付けられたデータや割り当てられたチャネルや電力やレート等に関連する情報、および、チャネルの推定およびチャネルを介した通信のために適切なその他任意の情報を格納することができる。メモリ７０８はさらに、（例えば、パフォーマンス・ベース、容量ベース等で）チャネルを推定すること、および／または利用することに関連するプロトコルおよび／またはアルゴリズムを格納しうる。
【００４９】
本明細書に記載のデータ・ストア（例えば、メモリ７０８）は、揮発性メモリまたは不揮発性メモリの何れかであるか、あるいは、揮発性メモリおよび不揮発性メモリの両方を含みうることが理解されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。対象システムおよび方法のメモリ７０８は、限定される訳ではないが、これらおよびその他の適切なタイプのメモリを備えることが意図される。
【００５０】
プロセッサ７０６および／または受信機７０２はさらに、受信した信号がダウンリンクであるかを判定する基準信号検出器７１０に動作可能に接続されうる。さらに、基準信号検出器７１０は、送信前にＲＳをスクランブルする送信機によって利用されるＰＲＳを決定することができる。一例において、これは、所与のＰＲＳに相関しているＲＳにおいて提供された抽出されたＰＳＣ／ＳＳＣコンビネーションに少なくとも部分的に基づきうる。さらに、このコンビネーションは、ＲＳの送信機を識別するために利用されうる。例えば、サイクリック・プレフィクスが通常であるような別の例では、基準信号検出器７１０はまた、ＲＳをスクランブルするために利用される直交シーケンスを決定することもできる。この情報を使用して、デスクランブラ７１２は、ＲＳをデスクランブルすることができる。
【００５１】
一例によれば、基準信号検出器７１０は、ＲＳの１または複数のサブフレームのサイクリック・プレフィクス長さを決定し、ＰＳＣ／ＳＳＣコンビネーションに関連するＰＲＳ、または、直交シーケンスを伴うＳＳＣに関連するＰＲＳを利用することによって、デスクランブルするかを判定する。説明したように、前者は、延長されたＣＰによる頻繁な選択を考慮すると、直交性が失われるであろう延長されたＣＰサブフレームで利用されうる一方、後者は、通常のＣＰを有するサブフレームのために利用されうる。あるいは、ＰＳＣ／ＳＳＣコンビネーションは、実質的に全ての場合においてＰＲＳへマップすることができる。モバイル・デバイス７００はさらに、信号を変調する変調器７１４、および、例えば基地局や他のモバイル・デバイス等へ信号を送信する送信機７１６を備える。プロセッサ７０６と別に示されているが、基準信号検出器７１０、デスクランブラ７１２、復調器７０４、および／または、変調器７１４は、プロセッサ７０６または複数のプロセッサ（図示せず）の一部でありうることが認識されるべきである。
【００５２】
図８は、ダウンリンクＲＳを生成すること、およびその送信のためにダウンリンクＲＳをスクランブルすることを容易にするシステム８００を例示する。このシステム８００は、複数の受信アンテナ８０６を介して１または複数のモバイル・デバイス８０４から信号を受信する受信機８１０を備えた（例えば、アクセス・ポイントのような）基地局８０２と、送信アンテナ８０８を介して１または複数のモバイル・デバイス８０４へ送信する送信機８２４とを備える。受信機８１０は、受信アンテナ８０６から情報を受信する。また、受信した情報を復調する復調器８１２と動作可能に関連付けられている。復調されたシンボルは、図７に関連して上述され、メモリ８１６に接続されたプロセッサに類似したプロセッサによって分析される。メモリ８１６は、信号（例えば、パイロット）強度および／または干渉強度を推定することに関連する情報と、送信されるべきデータまたはモバイル・デバイス８０４（または、個別の基地局（図示せず））から受信されたデータと、および／または、本明細書に記載されたさまざまな動作および機能を実行することに関連するその他任意の適切な情報とを格納する。プロセッサ８１４はさらに、同期、アイデンティティ、および／または、基地局８０２に関連するその他の情報を決定するために利用されるＲＳを生成する基準信号生成器８１８と、ＲＳをスクランブルするスクランブラ８２０とに接続されている。
【００５３】
一例によれば、基準信号生成器８１８は、１次同期符号および２次同期符号を備えるＲＳを生成する。これら符号は、基地局８０２をユニークに識別し、また、多くのＰＲＳのうちの１つに直接的に対応することができる。スクランブラ８２０は、（例えば、ＸＯＲ演算によって）ＰＲＳを用いてＲＳをスクランブルすることができる。通常のＣＰを有するサブフレームでは、ＰＲＳは、ＳＳＣに関連しており、１つの例では、直交シーケンスは、ＲＳをスクランブルするためにも利用されうる。スクランブルされたＲＳは、送信機８２４から、１または複数のモバイル・デバイス８０４へ送信されうる。さらに、プロセッサ８１４とは別に示されているが、基準信号生成器８１８、スクランブラ８２０、復調器８１２、および／または変調器８２２は、プロセッサ８１４または複数のプロセッサ（図示せず）の一部でありうることが認識されるべきである。
【００５４】
図９は、無線通信システム９００の一例を示す。無線通信システム９００は、簡潔さの目的で、１つの基地局９１０と１つのアクセス端末９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的と同じでも、別のものでもありうることが認識されるべきである。さらに、基地局９１０および／またはモバイル・デバイス９５０は、その間の無線通信を容易にするために、本明細書に記述されたシステム（図１乃至図３、図７乃至図８）および／または方法（図４乃至図６）を適用しうることが認識されるべきである。
【００５５】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００５６】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末９５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ９３０によって実行または提供される命令によって決定されうる。
【００５７】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００５８】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００５９】
アクセス端末９５０では、送信された変調信号がＮＲ個のアンテナ９５２ａ乃至９５２ｒによって受信され、おのおののアンテナ９５２からの受信信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６０】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６１】
プロセッサ９７０は、上述したように、どの事前符合化行列を使用するのかを定期的に決定する。さらに、プロセッサ９７０は、行列インデクス部およびランク値部とを備えた逆方向リンク・メッセージを規定することができる。
【００６２】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６３】
基地局９１０では、アクセス端末９５０からの変調信号が、アンテナ９２４によって受信され、受信機９２２によって調整され、復調器９４０によって復調され、ＲＸデータ・プロセッサ９４２によって処理されて、アクセス端末９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６４】
プロセッサ９３０およびプロセッサ９７０は、基地局９１０およびアクセス端末９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６５】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６６】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００６７】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６８】
図１０に示すように、受信したダウンリンクＲＳをＰＲＳにしたがってデスクランブルするシステム１０００が例示される。例えば、システム１０００は、基地局、モバイル・デバイス等内に少なくとも部分的に存在することができる。システム１０００は、プロセッサ、ソフトウェア、または（例えば、ファームウェアのような）これらの組み合わせによって実施される機能を表す機能ブロックでありうる機能ブロックを含むものと表されることが認識されるべきである。システム１０００は、連携して動作する電子構成要素の論理グループ１００２を含む。例えば、論理グループ１００２は、スクランブルされたダウンリンクＲＳを受信する電子構成要素１００４を含みうる。例えば、ＲＳは、送信機から受信することができ、利用可能な符号のセットから選択されうる例えばユニークな同期符号のような、送信機に関する情報を識別することおよび／または同期を備えることができる。さらに、論理グループ１００２は、ＰＲＳを、ダウンリンクＲＳ内の少なくとも１次同期符号および２次同期符号に関連付けるための電子構成要素１００６を備えうる。例えば、ユニークな同期符号は、ＰＲＳに対応しうる。そして、ユニークな特性が、ＲＳの送信機を識別することに役立つ。さらに、論理グループ１００２は、ダウンリンクＲＳの一部を、ＰＲＳにしたがってデスクランブルするための電子構成要素１００８を備えうる。その後ＲＳは、望まれるような他の情報を抽出するために解釈されうる。さらに、システム１０００は、電子構成要素１００４，１００６、１００８に関連する機能を実行するための命令群を保持するメモリ１０１０を含みうる。メモリ１０１０の外側にあると示されているが、電子構成要素１００４、１００６、１００８のうちの１または複数が、メモリ１０１０内に存在しうることが理解されるべきである。
【００６９】
図１１に移って、ＲＳを生成し、ＲＳを無線通信ネットワークを介して送信するためにスクランブルするシステム１１００が例示される。システム１１００は、例えば、基地局、モバイル・デバイス等の内部に存在することができる。説明するように、システム１１００は、プロセッサ、ソフトウェア、または（例えば、ファームウェアのような）これらの組み合わせによって実施される機能を表す機能ブロックを含む。システム１１００は、ＲＳを生成しスクランブルすることを容易にする電子構成要素の論理グループ１１０２を含む。論理グループ１１０２は、１次同期符号および２次同期符号を備えるダウンリンクＲＳを生成する電子構成要素１１０４を含みうる。受信機は、そのような情報によって、その情報の送信機を識別できるようになるのみならず、次の通信のための送信機との同期に関する情報を取得できるようになる。さらに、そのような情報は、送信前にＲＳをスクランブルするためにどのＰＲＳが使用されるかに役立つ。さらに、論理グループ１１０２は、１次同期符号と２次同期符号とのコンビネーションに対応するＰＲＳに少なくとも部分的に基づいてダウンリンクＲＳをスクランブルする電子構成要素１１０６を含みうる。したがって、送信機によって使用されることが可能であり、これら同期符号のコンビネーションに直接的にマップされるＰＲＳのセットが存在しうる。この点において、ＰＲＳ／同期符号マッピングの数に依存して、個別の送信機によって利用され、干渉をもたらす類似のＰＲＳの機会は、マッピングの数が増加すると減少される。スクランブルされると、ＲＳは、さまざまな受信デバイスへ送信またはブロードキャストされうる。さらに、システム１１００は、電子構成要素１１０４、１１０６に関連付けられた機能を実行する命令群を保持するメモリ１１０８を含みうる。メモリ１１０８の外部にあると示されているが、電子構成要素１１０４、１１０６は、メモリ１１０８内に存在しうることが理解されるべきである。
【００７０】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010530667.tif 000003
【図２】
2010530667.tif 000004
【図３】
2010530667.tif 000005
【図４】
2010530667.tif 000006
【図５】
2010530667.tif 000007
【図６】
2010530667.tif 000008
【図７】
2010530667.tif 000009
【図８】
2010530667.tif 000010
【図９】
2010530667.tif 000011
【図１０】
2010530667.tif 000012
【図１１】
2010530667.tif 000013
【国際調査報告】
2010530667.tif 000014
2010530667.tif 000015
2010530667.tif 000016